(57)【要約】      （修正有）【課題】薬剤容器の振とうに要する作業者の負担を軽減でき、取り扱いが容易な容器回転装置を提供する。【解決手段】振とう装置は、薬剤を収容した筒状の薬剤容器１００を振とうする振とう装置であって、複数の前記薬剤容器を着脱自在に保持する保持部１２、及び回転軸１３を有する容器保持体１と、前記容器保持体を、前記回転軸を介して回転自在に支持する支持体２と、手動により駆動可能に構成され、前記回転軸に回転運動を伝達する駆動機構３と、を備え、前記保持部は、前記複数の薬剤容器を、前記回転軸の周囲に周方向に配置するように構成されている。【選択図】図１
0003183089.tif 000002
【実用新案登録請求の範囲】
【請求項１】
薬剤を収容した筒状の薬剤容器を振とうする振とう装置であって、
複数の前記薬剤容器を着脱自在に保持する保持部、及び回転軸を有する容器保持体と、
前記容器保持体を、前記回転軸を介して回転自在に支持する支持体と、
手動により駆動可能に構成され、前記回転軸に回転運動を伝達する駆動機構と、
を備え、
前記保持部は、前記複数の薬剤容器を、前記回転軸の周囲に周方向に配置するように構成されている、振とう装置。
【請求項２】
前記駆動機構は、手動により回転される手動回転部材を備え、
前記手動回転部材と前記回転軸との回転比が１：２〜１：５となるように、前記手動回転部材の回転が、前記回転軸に伝達されるように構成されている、請求項１に記載の振とう装置。
【請求項３】
前記回転軸に取付けられる第１歯車をさらに備え、
前記手動回転部材は、前記第１歯車と噛み合う第２歯車を構成する、請求項２に記載の振とう装置。
【請求項４】
前記手動回転部材には、手で把持されるハンドルが設けられている、請求項２または３に記載の振とう装置。
【請求項５】
前記回転軸が前記支持体から取り外し可能に構成されることにより、前記容器保持体が前記支持体に対して着脱可能となっている、請求項１から４のいずれかに記載の振とう装置。
【請求項６】
前記支持体には、前記回転軸を回転自在に支持する凹部が形成されており、当該凹部に前記回転軸が取り外し可能に支持される、請求項５に記載の振とう装置。
【請求項７】
前記保持部は、
前記薬剤容器の軸方向の両端それぞれに配置される一対の回転部材と、
前記各回転部材に取付けられ、前記各薬剤容器を着脱自在に保持する複数の保持部材と、
を備え、
前記各回転部材それぞれに、前記回転軸が取付けられており、
前記複数の保持部材は、前記回転軸の周囲に周方向に配置されるように、前記回転部材に取り付けられている、請求項１から６のいずれかに記載の振とう装置。
【請求項８】
前記回転軸は水平方向に延びるように配置され、
前記薬剤容器は、軸心が水平方向を向くように前記容器保持体に保持される、請求項１から７のいずれかに記載の振とう装置。
【考案の詳細な説明】
【技術分野】
【０００１】
本考案は、薬剤を収容した筒状の外形を有する薬剤容器を回転させる振とう装置である。
【背景技術】
【０００２】
抗生剤や抗悪性腫瘍剤などの固形剤や粉末剤は、通常、バイアル瓶と呼ばれる薬剤容器に封入されている。これらの薬剤を使用する際には、特許文献１でも言及されているとおり、通常、シリンジを用いて薬剤容器内に溶解液を注入し、薬剤容器内で薬剤を溶解液に溶解させることが必要になる。このとき、溶解を十分に行うため、バイアル瓶を手で振とうしたり、あるいは自動調剤システムにより機械的に振とうや回転を行っている。また、一般的な混合装置としては、細胞培養の分野では複数の培養容器を機械的に振とうする装置が、粉砕器の分野では、ローラ式ボールミルが用いられている。
【先行技術文献】
【特許文献】
【０００３】
【特許文献１】特表２００９−５１４６４１号公報
【考案の概要】
【考案が解決しようとする課題】
【０００４】
しかしながら、手動によりバイアル瓶を浸透する作業は、作業者に大きい負担であり、例えば、一度の複数の薬剤を溶解しなければならない場合には、作業者に大きい負担となる。特に、薬剤によっては極めて難溶性のものがあるため、溶解操作に時間がかかり作業者の負担はより大きくなる。一方、機械式の装置を用いる場合には、動力源が必要となるため、装置が大型化するという問題がある。また、装置が薬剤によって汚染された場合には、洗浄が必要となるが、装置の洗浄は煩雑で時間を要するという問題がある。本考案は、上記問題を解決するためになされたものであり、薬剤容器の振とうに要する作業者の負担を軽減でき、取り扱いが容易な容器回転装置を提供することを目的とする。
【課題を解決するための手段】
【０００５】
本考案に係る振とう装置は、薬剤を収容した筒状の薬剤容器を振とうする振とう装置であって、複数の前記薬剤容器を着脱自在に保持する保持部、及び回転軸を有する容器保持体と、前記容器保持体を、前記回転軸を介して回転自在に支持する支持体と、手動により駆動可能に構成され、前記回転軸に回転運動を伝達する駆動機構と、を備え、前記保持部は、前記複数の薬剤容器を、前記回転軸の周囲に周方向に配置するように構成されている。
【０００６】
この構成によれば、薬剤容器を保持する容器保持体を手動で回転させる駆動機構を備えているため、薬剤容器を手で持って振とうするのに比べ、薬剤容器に対して安定した回転運動を付与できるため、作業者の負担を大きく低減することができる。特に、容器保持体が複数の薬剤容器を保持できるように構成されているため、一度の作業で複数の薬剤容器の振とうが可能となり、作業を効率的に行うことができる。また、手動により駆動する駆動機構を備えているため、電気的な駆動源を有する装置に比べ小型化が可能となる。さらに、電気的な駆動源を有していないため、装置が薬剤に汚染された場合に簡単に洗浄することができる。したがって、作業者の負担を軽減できるとともに、装置の取り扱いが簡単である。
【０００７】
上記振とう装置においては、前記駆動機構が、手動により回転される手動回転部材を備え、前記手動回転部材と前記回転軸との回転比が１：２〜１：５となるように、前記手動回転部材の回転が、前記回転軸に伝達されるように構成することができる。このようにすると、手動により手動回転部材を１回転させる間に、容器保持体の回転軸を２〜５回転させることができるため、振とう作業を効率よく行うことができ、特に難溶解性薬剤を溶解する際の、作業者の負荷を軽減することができる。
【０００８】
このとき、駆動機構は、次のように構成することもできる。例えば、前記回転軸に取付けられる第１歯車をさらに設け、前記手動回転部材を、前記第１歯車と噛み合う第２歯車を構成することができる。すなわち、歯車機構によって駆動機構を構成することできる。
【０００９】
また、前記手動回転部材には、手で把持されるハンドルを設けることができ、これにより、手動回転部材を容易に回転させることができる。
【００１０】
上記振とう装置においては、前記回転軸は、前記容器保持部とともに、前記支持体から取り外し可能とすることができる。このように構成すると、容器保持体を支持体から取り外すことができるため、容器の大きさや形状に応じた複数の容器保持体を準備しておけば、支持体や駆動機構までも交換することなく、薬剤容器の振とう作業を行うことができる。
【００１１】
このとき、前記支持体に、前記回転軸を回転自在に支持する凹部を形成し、当該凹部に前記回転軸を取り外し可能に支持することができる。このようにすると、回転軸を凹部に嵌め込んだり、取り外すことで、容器保持体を交換できるため、交換作業が容易になる。
【００１２】
上記各振とう装置においては、容器保持体の保持部を次のように構成することができる。例えば、前記保持部が、前記薬剤容器の軸方向の両端それぞれに配置される一対の回転部材と、前記各回転部材に取付けられ、前記各薬剤容器を着脱自在に保持する複数の保持部材と、を備え、前記各回転部材それぞれに、前記回転軸が取付けられるように構成し、さらに、前記複数の保持部材を、前記回転軸の周囲に周方向に配置されるように、前記回転部材に取り付けることができる。
【００１３】
また、上記各振とう装置においては、前記回転軸を水平方向に延びるように配置し、前記薬剤容器を、軸心が水平方向を向くように前記容器保持体に保持することができる。
【考案の効果】
【００１４】
本考案によれば、薬剤容器の振とうに要する作業者の負担を軽減でき、取り扱いが容易になる。
【図面の簡単な説明】
【００１５】
【図１】本考案の一実施形態に係る振とう装置の正面図である。
【図２】図１の側面図である。
【図３】図１振とう装置の他の例を示す正面図である。
【図４】図３の側面図である。
【考案を実施するための形態】
【００１６】
以下、本考案に係る振とう装置の一実施形態について、図面を参照しつつ説明する。図１はこの振とう装置の正面図、図２は図１の側面図である。
【００１７】
図１に示すように、この振とう装置は、薬剤と混合液が収容された複数のバイアル瓶（薬剤容器）を回転させることで、薬剤と混合液とが混合されるように振とうを行う装置である。
【００１８】
＜１．バイアル瓶＞
まず、対象となるバイアル瓶について説明する。図１に示すように、ここで対象となるバイアル瓶１００は、円筒状に形成されたガラス製のボトル本体１０１と、ボトル本体１０１の上部に形成された開口を閉鎖するボトル栓１０２とを有する。ボトル本体１０１は、全体として略円柱形状に形成されているが、上端部には肩部１０３を介して径が小さいネック部１０４が形成され、このネック部１０４にボトル栓１０２が取付けられている。ボトル栓１０２は、ボトル本体１０１の開口を塞ぐようにネック部１０４にアルミ等で巻き閉め固定されており、ボトル本体１０１から取り外し不能である。そして、ボトル栓１０２において、ボトル本体１０１の開口を塞ぐ部分は、ゴム、エラストマー等の弾性変形可能な材料により形成されており、使用時には、シリンジの針による刺通が可能である。なお、バイアル瓶１００のボトル本体１０１は、上記のように円筒状に形成された回転体であるため、後述するバイアル瓶１００の軸心Ｘとは、回転体の中心となる軸線を意味する。
【００１９】
このバイアル瓶１００には、種々の薬剤を収容することができるが、例えば、細胞毒性を有し、曝露すると、これを取り扱う者（主として、医療従事者。以下、作業者という。）に重篤な副作用を及ぼしたり、細胞毒性に由来する健康被害を及ぼしたり等する可能性のある薬剤とすることができる。このような薬剤の例としては、抗悪性腫瘍剤、抗ウィルス剤、抗生物質、放射性医薬品等が挙げられる。一方、この薬剤と混合される混合液とは、生理食塩水やリンゲル液、蒸留水等であって、薬剤を溶解したり、希釈したりするための溶液である。なお、ここでいう薬剤の混合とは、例えば、医師、歯科医師又は獣医師の処方箋により行われる調剤行為や、患者が自ら混合する行為や、製薬会社等において混合薬液を製造するために行われる行為等であり、薬剤と混合液とを混合した混合薬液を生成する任意の行為を意味する。
【００２０】
＜２．振とう装置の構造＞
次に、振とう装置について説明する。この装置は、バイアル瓶１００の軸心Ｘが水平方向に延びるように保持する容器保持体１と、この容器保持体１を回転可能に支持する支持体２とを備えている。さらに、この振とう装置には、容器保持体１を回転させるための駆動機構３が設けられている。容器保持体１は、一対の円板状の回転部材、つまり図１の右側に配置された第１回転部材１１１及び左側に配置された第２回転部材１１２を備えており、両回転部材１１１，１１２は、所定間隔をおいて対向するように配置されている。そして、両回転部材１１１，１１２は、回転軸１３によって連結されている。すなわち、両回転部材１１１，１１２の中心を通るように、回転軸１３が取り付けられており、この回転軸１３の両端部は、各回転部材１１１，１１２から外方へ突出している。
【００２１】
また、各回転部材１１１，１１２において互いに対向する面(以下、対向面といい、これとは反対の面を外面という)には、バイアル瓶１００を保持するための複数の保持部材１２がそれぞれ取付けられている。各保持部材１２は、第１回転部材１１１に取り付けられる第１保持具１２１と、第２回転部材１１２に取り付けられる第２保持具１２２と出構成され、これらが一組で１つのバイアル瓶１００を保持するようになっている。本実施形態では、４つの保持部材１２が設けられている。具体的には、両保持具１２１，１２２は、両回転部材１１１，１１２の間で、軸方向に沿って対応する位置に配置されており、第１保持具１２１がバイアル瓶１００のボトル栓１０２を保持し、第２保持具１２２がバイアル瓶１００の底部を保持するように構成されている。これにより、複数のバイアル瓶１００は、軸心Ｘが回転軸１３と平行になるように保持される。また、両保持具１２１，１２２は、ボトル栓１０２または底部の外周面に係合するような円筒状の弾性材料で形成されている。このような保持具１２１，１２２を有する複数の保持部材１２は、回転軸１３の周囲に、周方向に等間隔に配置されている。また、回転軸１３において、第１回転部材１１１から突出している端部には、後述するように第１歯車３１が固定されている。
【００２２】
次に、支持体２について説明する。支持体２は３つの板状部材を組み合わせることで形成されている。すなわち、水平面に配置される矩形状の基部２１と、この基部２１の両端部それぞれから上方に起立する台形形状の起立部２２とで構成されている。ここでは、図１の図１の右側に配置された起立部を第１起立部２２１、左側に配置された起立部を第２起立部２２２と称することとする。両起立部２２１，２２２の間には、上述した容器保持体１が配置されるようになっている。具体的には、各起立部２２１，２２２の上端部に、凹部２２１１、２２２１が形成されており、各凹部２２１１、２２２１に上述した容器保持体１の回転軸１３の各端部が回転自在に支持されている。したがって、両起立部２２１，２２２の間の距離は、両回転部材１１１，１１２の外面間の距離よりも大きくなっている。
【００２３】
続いて、容器保持体１を回転させる駆動機構３について説明する。この駆動機構３は、上述したように、回転軸１３に取付けられた第１歯車３１と、第１起立部２２１に取付けられた第２歯車３２とで構成されている。第１歯車３１は、回転軸１３に取り付けられているが、第１起立部２２１を挟んで、第１回転部材１１１とは反対側の端部に取付けられている。これにより、第１歯車３１は回転軸１３とともに回転する。一方、第２歯車３２は、軸部材３２１を介して第１起立部２２１の外面に回転自在に取付けられ、第１歯車３１と噛み合っている。したがって、第２歯車３２が回転すると、これに伴って第１歯車３１も回転する。また、第２歯車３２の周縁部には、軸方向の外方へ突出するハンドル３２２が取付けられており、このハンドル３２２を手で把持しつつ第２歯車３２を回転できるようになっている。
【００２４】
上述したように、この振とう装置は手動により、第２歯車３２を回転させ、これにより第１歯車３１を回転させるのであるが、第１歯車（被動歯車）３１と第２歯車（駆動歯車）３２の減速比は、０．２〜０．５であることが好ましい。すなわち、第２歯車３２の歯数を第１歯車３１よりも大きくすることで、第２歯車３２を１回転させる間に第１歯車３１を２回転以上させるようにすることが好ましい。これにより、作業者の負担を軽減することができる。
【００２５】
＜３．振とう装置の使用方法＞
上記のように構成された振とう装置は、次のように用いられる。まず、固形状または粉末状の薬剤が収容されたバイアル瓶１００を準備し、シリンジを用いてバイアル瓶１００の中に混合液を注入する。具体的には、混合液が収容されたシリンジの針を、バイアル瓶１００のゴム栓に刺し込んだ後、混合液をバイアル瓶１００の中に注入する。そして、このようなバイアル瓶１００を複数準備する。
【００２６】
続いて、容器保持体１を装置から取り外す。上述したように、回転軸１３の両端部は各起立部２２１，２２２の上端の凹部２２１１、２２２１に嵌め込まれているため、容器保持体１を上方に持ち上げれば、支持体２から簡単に取り外すことができる。続いて、振とう対象となる複数のバイアル瓶１００を容器保持体１の各保持部材１２にそれぞれ取付ける。すなわち、各バイアル瓶１００を、各保持部材１２の保持具１２１，１２２に取り付ける。具体的には、バイアル瓶１００のボトル栓１０２を第１回転部材１１１に取り付けられた第１保持具１２１に嵌め込むとともに、バイアル瓶１００の底部を第２回転部材１１２に取付けられた第２保持具１２２に嵌め込む。こうして、容器保持体１に複数のバイアル瓶１００を取付けた後、この容器保持体１を支持体２に取付ける。すなわち、回転軸１３を各凹部２２１１、２２２１に嵌め込む。これにより、振とう作業の準備が完了する。
【００２７】
これに続いて、ハンドル３２２を手で把持し第２歯車３２を回転させる。これにより、第１歯車３１が容器保持体１とともに回転し、バイアル瓶１００が軸心Ｘ周りに回転する。こうして回転を続けることで、バイアル瓶１００が振とうされる。そして、所定の回数を回転させた後、容器保持体１を支持体２から取り外し、これに続いて、容器保持体１から複数のバイアル瓶１００を取り外す。その後、各バイアル瓶１００は所定の医療作業に適宜用いられる。
【００２８】
＜４．特徴＞
以上のように、本実施形態によれば、バイアル瓶１００を保持する容器保持体１を手動で回転させる駆動機構３を備えているため、バイアル瓶１００を手で持って振とうするのに比べ、バイアル瓶１００に対して安定した回転運動を付与できるため、作業者の負担を大きく低減することができる。特に、歯車機構を用いてバイアル瓶１００を回転させているため、作業者の作業の負荷が小さくなる。特に、容器保持体１が複数のバイアル瓶１００を保持できるように構成されているため、一度の作業で複数のバイアル瓶１００の振とうが可能となり、作業を効率的に行うことができる。
【００２９】
また、この装置の駆動機構３は手動によるものであるため、電気的な駆動源を有する装置に比べ小型化が可能となる。さらに、電気的な駆動源を有していないため、装置が上述したような薬剤に汚染された場合に簡単に洗浄することができる。したがって、作業者の負担を軽減できるとともに、装置の取り扱いが簡単である。また、本実施形態に係る装置では、バイアル瓶１００が軸心Ｘ周りに回転することで、液が重力の影響で上下動し、速やかに溶解を行うことが出来る。
【００３０】
＜５．変形例＞
以上、本考案の一実施形態について説明したが、本考案は上記実施形態に限定されるものではなく、その趣旨を逸脱しない限りにおいて種々の変更が可能である。例えば、上記実施形態では、駆動機構３を歯車によって構成しているが、これに限定されない。例えば、第１歯車３１及び第２歯車３２をそれぞれプーリーで構成し、これらをベルト伝動により回転させることもできる。この場合、各プーリーの回転比は上述した減速比に対応する。すなわち、第２歯車に対応するプーリー（手動回転部材）と第１回転軸１３１との回転比を１：２〜１：５とすることが好ましい。あるいは第１回転軸１３１を、手動により直線回転させるようにすることもできる。
【００３１】
また、容器保持体１の構成は、上述したものに限定されない。上記実施形態では、軸方向に分離した２つの回転部材１１１，１１２と、複数組の保持具１２１，１２２で構成しているが、回転部材、保持具は、それぞれ一体的に形成することできる。例えば、回転部材を一体的な円筒状に形成することもできる。保持具については、バイアル瓶１００を着脱自在に保持できれば、特には限定されない。例えば、公知のクランプを用いたり、あるいはバイアル瓶１００の形状に合わせた一体的な収容部を形成し、バイアル瓶１００を径方向に嵌め込むような構成でもよい。
【００３２】
上記実施形態では、回転部材１１１，１１２及び保持部材１２によって構成しているが、複数のバイアル瓶１００を保持する保持部と、これを回転する回転軸１３１，１３２が設けられていれば、その形態は特には限定されない。
【００３３】
容器保持体１は、支持体２から取り外せるように構成されているため、バイアル瓶１００の形状によって複数の容器保持体１を用意することもできる。これにより、支持体２及び駆動機構３は同じものを使用できるため、バイアル瓶１００の形状によって複数の振とう装置を用意する必要がない。
【００３４】
上記実施形態では、バイアル瓶１００を水平方向に支持しているが、次のようにすることもできる。例えば、図３及び図４に示すように、バイアル瓶１００の軸心Ｘが回転軸１３と直交するように、回転軸１３の周囲に配置することができる。この例では、２個のバイアル瓶１００を両回転部材１１１，１１２の間で保持している。各回転部材１１１，１１２には、バイアル瓶１００の肩部１０３を保持する保持具１５１と、底部付近を保持する保持具１５２が取り付けられており、両回転部材１１１，１１２に設けられた保持具１５１，１５２によってバイアル瓶１００を挟むように保持する。この例では、２個のバイアル瓶１００を取り付けているが、保持具の数を増やして３個以上のバイアル瓶１００を取り付けることもできる。この場合、バイアル瓶１００は、回転軸１３の周囲の円周上に沿って、軸心Ｘがその円周の接線方向に延びるように配置される。
【００３５】
また、回転軸１３が垂直方向を向くように、容器保持体１を配置することもできる。この場合、駆動機構３は、傘歯車などを用い、第２歯車３２の回転を直交するように回転軸１３へ伝達すれば、上述したような向きでハンドル３２２の回転が利用できる。
【００３６】
また、支持体２の形態、材料は特には限定されず、容器保持体１を回転自在に支持できるような構成であれば、特には限定されない。
【００３７】
薬剤が収容される薬剤容器は、上述したバイアル瓶１００に限定されない。少なくとも筒状（円筒、角筒など）の形態を有し、薬剤と混合液とを収容可能な容器であれば、その材質、栓や蓋の形態などは、特には限定されない。また、薬剤容器を収容した二重構造の容器（例えば特開２０１１−２１２３６６号公報に記載されたもの）も、本装置に適用することができる。
【符号の説明】
【００３８】
１  容器保持部
１１１  第１回転部材
１１２  第２回転部材
１２  保持部材
１３  回転軸
２  支持体
２２１１、２２２１  凹部
３  駆動機構
３１  第１歯車
３２  第２歯車
３２２  ハンドル
１００  バイアル瓶（薬剤容器）
Ｘ  軸心
【図１】
0003183089.tif 000003
【図２】
0003183089.tif 000004
【図３】
0003183089.tif 000005
【図４】
0003183089.tif 000006